(57)【特許請求の範囲】
【請求項１】
スイッチと、撮影レンズと、当該撮像装置の傾きを検出する傾き検出手段と、撮影される画像を表示する表示手段とを有する撮像装置において、
初期モードが設定される当該撮像装置の傾きのない状態から当該撮像装置が上記撮影レンズの光軸中心の回りで回転されて傾けられた状態を上記傾き検出手段が検出すると、初期モードとは異なる撮影モードを上記表示手段に表示し、当該撮像装置の傾きを解消することなく当該撮像装置を傾けた状態で上記スイッチを操作すると、その表示された撮影モードへの初期モードからのモードの切換え制御を行う制御手段をさらに有することを特徴とする撮像装置。
【請求項２】
上記制御手段は、上記表示手段に表示された撮影モードを示すサインを上記表示手段に表示するように制御する請求項１記載の撮像装置。
【請求項３】
上記制御手段は、上記スイッチ操作をしたまま当該撮像装置の傾きを解消すると、上記撮影モードの撮影を開始するように制御し、
上記スイッチ操作がレリーズスイッチ操作である請求項１または２記載の撮像装置。
【請求項４】
上記制御手段は、初期モードとは異なる上記撮影モードが動画モードであれば、当該撮像装置が傾けられた状態では動画用のアスぺクト比の枠が上記表示手段に水平に現れて動画モードがその枠内に表示され、当該撮像装置の傾きが解消されても上記表示手段にその枠が出たままとなって上記表示手段に余白部が残されるように制御する請求項１〜３のいずれか記載の撮像装置。  
【請求項５】
上記制御手段は、上記スイッチ操作が除かれるとともに当該撮像装置の傾きを解消してから、スイッチ操作が再度なされると上記撮影モードの撮影を開始するように制御する請求項１、２、４のいずれか記載の撮像装置。」
【請求項６】
スイッチと、撮影レンズと、当該撮像装置の傾きを検出する傾き検出手段と、撮影される画像を表示する表示手段とを有する撮像装置のモードの切換え制御方法において、
初期モードが設定される当該撮像装置の傾きのない状態から当該撮像装置が上記撮影レンズの光軸中心の回りで回転されて傾けられた状態を上記傾き検出手段が検出すると、初期モードとは異なる撮影モードを上記表示手段に表示する表示ステップと、
当該撮像装置の傾きを解消することなく当該撮像装置を傾けた状態で上記スイッチを操作すると、初期モードから上記表示された撮影モードにモードを切換える切換えステップと、
を具備する撮像装置の制御方法。
【請求項７】
上記表示ステップにおいて、上記表示手段に表示された撮影モードを示すサインが上記表示手段に表示される請求項６記載の撮像装置の制御方法。
【請求項８】
上記スイッチ操作をしたまま当該撮像装置の傾きを解消すると、上記撮影モードの撮影を開始する撮影開始モードをさらに具備し、
上記スイッチ操作がレリーズスイッチ操作である請求項６または７のいずれか記載の撮像装置の制御方法。
【請求項９】
初期モードとは異なる上記撮影モードが動画モードであれば、上記表示ステップにおいて、当該撮像装置が傾けられた状態では動画用のアスぺクト比の枠が上記表示手段に水平に現れて動画モードがその枠内に表示され、当該撮像装置の傾きが解消されても上記表示手段にその枠が出たままとなって上記表示手段に余白部が残される請求項６〜８のいずれか記載の撮像装置の制御方法。
【請求項１０】
上記スイッチ操作が除かれるとともに当該撮像装置の傾きを解消してから、スイッチ操作が再度なされると上記撮影モードの撮影を開始する撮影開始モードをさらに具備する請求項６、７、９のいずれか記載の撮像装置の制御方法。
【請求項１１】
スイッチと、撮影レンズと、当該撮像装置の傾きを検出する傾き検出手段と、画像を表示する表示手段とを有する撮像装置のコンピュータに、
初期モードが設定される当該撮像装置の傾きのない状態から当該撮像装置が上記撮影レンズの光軸中心の回りで回転されて傾けられた状態を上記傾き検出手段が検出すると、初期モードとは異なる撮影モードを上記表示手段に表示する表示機能と、
当該撮像装置の傾きを解消することなく当該撮像装置を傾けた状態で上記スイッチを操作すると、初期モードから上記表示手段に表示された撮影モードに切換えるモード切換え機能と、
を実現させるための撮像装置のモード切換えプログラム。
【発明の詳細な説明】
【技術分野】
【０００１】
本発明は、静止画、動画の撮影機能を有するデジタルカメラ、デジタルビデオカメラ、デジタルカメラ付携帯電話などの撮像装置、撮像装置の制御方法および撮像装置のモード切換えプログラムに関する。
【背景技術】
【０００２】
静止画、動画の撮影機能を有するデジタルカメラ、ビデオカメラ、カメラ付携帯電話などの撮像装置においては、画像信号がデジタル化されることにより、静止画、動画がモード切換えによって容易に撮影できるようになっている。つまり、デジタル画像を連続して撮影してコマ間圧縮を行えば動画になり、連続撮影しなければ静止画になる。
【０００３】
静止画撮影、動画撮影をスイッチの切換えによるモード設定で決定していてはシャッターチャンスを逃すことが避けられない。そのため、静止画撮影、動画撮影を同時に行う撮像装置も知られている（たとえば、特開２００５−０５７３７８号公報）。しかしながら、静止画、動画の同時撮影においては、画像のデータ量が膨大な量となるため画像の整理が煩雑になる。そのため、一般的には、スイッチによるモード切換えによって静止画、動画のモード設定をしてから静止画撮影、動画撮影が行われている。
【０００４】
特開２００５−２３６８８３号公報には、撮影モード、再生モードが撮影姿勢で切換えられる撮像装置が記載されている。すなわち、撮像装置は撮影姿勢検知センサを内蔵し、横の撮影姿勢をとると（撮像装置を水平に構えると）撮影モードとなり、縦の撮影姿勢をとると（撮像装置を垂直に構えると）再生モードが設定される構成となっている。
また、この公開公報には、横の撮影姿勢をとると撮影モードとなり、縦の撮影姿勢にしてから所定時間内に横の撮影姿勢に戻すと再生モードとなる構成も記載されている。
【先行技術文献】
【特許文献】
【０００５】
【特許文献１】特開２００５−０５７３７８号公報
【特許文献２】特開２００５−２３６８８３号公報
【発明の概要】
【発明が解決しようとする課題】
【０００６】
特開２００５−２３６８８３号公報記載の構成では、撮像装置を片手で保持したまま撮影モード、再生モードの切換えを行うことができる。しかしながら、撮像装置背面の液晶ディスプレイ（ＬＣＤ）などの表示手段は、通常、横長画面であり、撮像装置を縦に構えると縦長の表示画面となる。そのため、撮像装置を垂直に構えると再生モードが設定される構成では、撮像装置を水平に構えて撮影した横長の撮影画像を縦長の液晶ディスプレイで再生することとなり、違和感のある見にくい表示となる。
また、縦の撮影姿勢にしてから所定時間内に横の撮影姿勢に戻して再生モードとする構成では、縦の撮影姿勢にして所定時間待機しなければならず、モード切換えに時間を要する。また、所定時間経過前に横の撮影姿勢に戻す誤動作が生じやすい。
【０００７】
撮影、再生のモード切換えには格別緊急性は必要とされない。これに対して、静止画撮影、動画撮影のモード切換えに時間を要していればシャッターチャンスを逃すこととなり、静止画撮影、動画撮影のモード切換えにおいては、縦の撮影姿勢にしてから所定時間内に横の撮影姿勢に戻すことによってモードを切換える構成は応用できない。
本発明は、静止画モード、動画モードを迅速に設定できる撮像装置の提供を目的としている。
【課題を解決するための手段】
【０００８】
請求項１記載の本発明によれば、スイッチと、撮影レンズと、当該撮像装置の傾きを検出する傾き検出手段と、撮影される画像を表示する表示手段とを有する撮像装置において、初期モードが設定される当該撮像装置の傾きのない状態から当該撮像装置が上記撮影レンズの光軸中心の回りで回転されて傾けられた状態を上記傾き検出手段が検出すると、初期モードとは異なる撮影モードを上記表示手段に表示し、当該撮像装置の傾きを解消することなく当該撮像装置を傾けた状態で上記スイッチを操作すると、その表示された撮影モードへの初期モードからのモードの切換え制御を行う制御手段をさらに有している。
請求項６記載の本発明によれば、スイッチと、撮影レンズと、当該撮像装置の傾きを検出する傾き検出手段と、撮影される画像を表示する表示手段とを有する撮像装置のモードの切換え制御方法において、初期モードが設定される当該撮像装置の傾きのない状態から当該撮像装置が上記撮影レンズの光軸中心の回りで回転されて傾けられた状態を上記傾き検出手段が検出すると、初期モードとは異なる撮影モードを上記表示手段に表示する表示ステップと、当該撮像装置の傾きを解消することなく当該撮像装置を傾けた状態で上記スイッチを操作すると、初期モードから上記表示された撮影モードにモードを切換える切換えステップと、を具備している。
請求項１１記載の本発明によれば、スイッチと、撮影レンズと、当該撮像装置の傾きを検出する傾き検出手段と、画像を表示する表示手段とを有する撮像装置のコンピュータに
、初期モードが設定される当該撮像装置の傾きのない状態から当該撮像装置が上記撮影レンズの光軸中心の回りで回転されて傾けられた状態を上記傾き検出手段が検出すると、初期モードとは異なる撮影モードを上記表示手段に表示する表示機能と、当該撮像装置の傾きを解消することなく当該撮像装置を傾けた状態で上記スイッチを操作すると、初期モードから上記表示手段に表示された撮影モードに切換えるモード切換え機能と、を実現させるための撮像装置のモード切換えプログラムからなる。
【発明の効果】
【０００９】
本発明では、初期モードとは異なる撮影モードでシャッターチャンスを逃すことなく撮影できる。
【図面の簡単な説明】
【００１０】
【図１】デジタルカメラとして具体化された本発明の一実施例に係る撮像装置の主要部の概略ブロック図を示す。
【図２】（Ａ）〜（Ｅ）はデジタルカメラを水平、垂直または傾けて構えた撮影の態様を示す。
【図３】（Ａ）（Ｂ）（Ｃ）はデジタルカメラを水平または傾けて構えた場合の液晶ディスプレイのライブビュー画像をそれぞれ示す。
【図４】（Ａ）（Ｂ）（Ｃ）はデジタルカメラで撮影された画像を楽しむ態様をそれぞれ示す。
【図５】アスペクト比（横縦比）４：３の画面を傾けた状態でアスペクト比（横縦比）１６：９の撮像領域を得られる傾き角度を求める模式図を示す。
【図６】（Ａ）（Ｂ）は傾き検出手段による傾きの検出方法の一例を示す。
【図７】本発明のデジタルカメラによる撮影制御のフローチャートを示す。
【図８】（Ａ）〜（Ｅ）は本発明の別実施例（実施例２）においてデジタルカメラを水平、垂直または傾けて構えた撮影の態様をそれぞれ示す。
【図９】（Ａ）〜（Ｃ）は本発明の別実施例（実施例２）においてデジタルカメラを水平、垂直または傾けて構えた撮影の態様をそれぞれ示す。
【図１０】（Ａ）（Ｂ）は本発明の別実施例（実施例２）においてデジタルカメラを水平、垂直または傾けて構えた撮影の態様をそれぞれ示す。
【図１１】本発明の実施例２に係るデジタルカメラによる撮影制御のフローチャートを示す。
【図１２】（Ａ）（Ｂ）（Ｃ）は、本発明の実施例２に係るデジタルカメラを傾けてモード切換えした場合の液晶ディスプレイのライブビュー画像をそれぞれ示す。
【発明を実施するための形態】
【００１１】
撮像装置は、スイッチと、撮影レンズと、撮像装置の傾きを検出する傾き検出手段と、撮影される画像を表示する表示手段とを有している。そして、撮像装置は、初期モードが設定される撮像装置の傾きのない状態から撮像装置が撮影レンズの光軸中心の回りで回転されて傾けられた状態を傾き検出手段が検出すると、初期モードとは異なる撮影モードを表示手段に表示し、当該撮像装置の傾きを解消することなく当該撮像装置を傾けた状態で上記スイッチを操作すると、その表示された撮影モードへの初期モードからのモードの切換え制御を行う制御手段をさらに有している。
【実施例１】
【００１２】
以下、図面を参照しながら本発明の一実施例を詳細に説明する。図１は、デジタルカメラとして具体化された本発明の一実施例に係る撮像装置の主要部の概略ブロック図を示す。
図１に示すように、デジタルカメラ（撮像装置）１０は、撮像手段１２、制御手段（中央制御回路）１４、表示手段１６、記録手段（メモリ）１８、計時手段（クロック）２０、通信手段２２、操作判定手段２４、傾き検出手段２６、スイッチ群２８、ストロボ手段３０などを備えて構成されている。
【００１３】
撮像手段１２は、撮影レンズ１２ａ（図２（Ａ）参照）やＣＣＤ、ＣＭＯＳセンサなどの撮像素子１２ｂなどからなり、被写体からの像は撮影レンズを介して撮像素子に結像され、光電変換されてデジタル化されて中央制御回路１４に出力される。そして、中央制御回路１４で色や階調の補正や圧縮処理などの必要な画像処理が施され、たとえば静止画ではＪＰＥＧ形式、動画ではＨ．２６４形式等の画像ファイルに変換されてフラッシュメモリなどの記録手段（メモリ）１８に記録される。計時手段（クロック）２０は撮影日時を計時し、その日時情報が撮影画像とともにメモリ１８に記録されることにより、撮影画像は順序よく記録され、検索も容易になる。クロック（計時手段）２０はストップウォッチ機能を持ち、デジタルカメラ１０を傾けたままの時間がクロックによって計時される。
【００１４】
撮影に先立って撮影の構図やタイミングを確認するために、撮像手段１２からの画像信号は、表示手段１６にライブビュー画像（スルー動画像）として表示される。また、表示手段１６には、撮影前のスルー動画像だけでなく、メモリ１８内の画像信号も中央制御回路１４で再生用に伸長されて表示される。表示手段１６は液晶ディスプレイ（ＬＣＤ）、有機ＥＬディスプレイなどから形成され、通常、デジタルカメラ１０の背面に設けられる。
【００１５】
撮像手段１２からの撮影画像を画像処理する中央制御回路（制御手段）１４は、たとえばＣＰＵ、ＭＰＵなどからなり、静止画を処理する静止画処理部１４ａと、動画を処理する動画処理部１４ｂと、静止画処理、動画処理のどちらで処理するかを判定して撮影モードを切換えるモード切換部１４ｃとを有し、撮影画像は静止画処理部、動画処理部で選択的に処理されてメモリ１８に記録される。
【００１６】
通信手段２２はＵＳＢ端子や無線送受信部などからなり、メモリ１８に記録された撮影画像のデータは、通信手段を介してＴＶなどの外部の表示手段、別の撮像装置などに出力されるとともに、別の撮像装置に記録された撮影画像のデータが通信手段を介して入力される。
【００１７】
操作判定手段２４は撮影可能状態を設定するパワースイッチ（電源スイッチ）の操作、レリーズスイッチ２８ａ（図２（Ｂ）参照）の操作、撮影・再生モード選択などの撮影者の操作を検出し、その検出結果が中央制御回路１４に出力され、中央制御回路においてデジタルカメラ１０の撮影モードが制御され設定される。
【００１８】
傾き検出手段２６は、撮影レンズ１２ａの光軸（撮影光軸）を中心としたデジタルカメラ１０の傾き（傾き角度）を検出するものであり、レリーズスイッチ２８ａの操作時における傾き検出手段の出力結果に従って静止画モード、動画モードなどが切換えられる点に本発明の大きな特徴がある。傾き検出手段２６で検出されたレリーズスイッチ操作時のデジタルカメラ１０の傾きは、中央制御装置１４に出力されて静止画、動画のどちらの処理を行うかが中央制御装置のモード切換部１４ｃで判定され、動画処理と判定されれば動画処理部１４ｂで、動画処理と判定されなければ静止画処理部１４ａで、撮影画像がそれぞれ処理されてメモリ１８に記録される。
【００１９】
スイッチ群２８は、レリーズスイッチ２８ａ（図２（Ｂ）参照）、パワースイッチ（電源スイッチ）、メニューキー、決定キー（ＯＫキー）、ズームスイッチ（ズームＳＷ）、モードキーなどからなり、スイッチが操作されると、操作判定手段２４によってそのスイッチ操作が検出されてスイッチ操作に対応した処理が中央制御回路１４の制御のもとで設定される。
【００２０】
ストロボ手段３０の発光は中央制御回路１４が制御しており、発光させて撮影するか否かが被写体の明るさに応じて中央制御回路で判定される。なお、動画撮影の場合、パルス的なストロボ光では被写体への照射が連続してできないため、ＬＥＤ光源などが利用される。
【００２１】
静止画撮影、動画撮影されてメモリ１８に記録された画像は、中央制御回路１４で再生処理されてデジタルカメラ背面の液晶ディスプレイ(表示手段)１６に表示されて撮影された結果が直ちに確認される。また、撮影画像は通信手段２２を介してＴＶなどの外部の表示手段にデジタルカメラ１０を接続することによって再生、表示できる。
【００２２】
図２（Ａ）〜（Ｅ）はデジタルカメラを水平、垂直または傾けて構えた撮影の態様を示す。
本発明では、デジタルカメラカメラの構え（具体的にはデジタルカメラカメラの傾き）、レリーズスイッチ２８ａの操作に対応して静止画撮影、動画撮影が可能となるように構成されている。
デジタルカメラ１０を横に構えて（水平に構えて）レリーズスイッチ２８ａを押し込むと、静止画を撮影する静止画モードが初期モードとして設定される。
【００２３】
そして、デジタルカメラ１０を所定角度傾けてから（図２（Ａ）参照）、レリーズスイッチ２８ａを押せば（図２（Ｂ）参照）、初期モードの静止画モードから動画モードに切換えられる。この傾けた状態で撮影が開始されると撮影画像が傾いた画像となるため、レリーズスイッチ２８ａを押したままデジタルカメラ１０を水平に戻して（図２（Ｃ）参照）その傾きを解消すると撮影が開始されるように、中央制御回路１４によって制御されている。
【００２４】
静止画モードから動画モードに切換えられるデジタルカメラ１０の傾きとしてハイビジョンＴＶに合わせたアスペクト比（横縦比）１６：９の画像が、デジタルカメラ１０とともに傾いた表示手段（液晶ディスプレイ）１６の画面内の対角線方向で最大に表示される傾き角度を想定できる。そして、この傾き角度（所定の傾き）を越えると動画モードに切換えられ、水平位置方向に戻されると動画撮影が開始される。水平に戻されてから撮影が開始されるのでなく、所定の傾きを越えて傾けてから水平位置方向に戻されると直ちに撮影を開始することにより、撮影開始までのタイムラグを最小に抑えられる。
レリーズスイッチ２８ａを押してもデジタルカメラ１０が水平に戻されるまで撮影を開始しない構成ではタイムラグが生じる。このタイムラグは０．１秒程度の僅かな時間であり、動画撮影においては通常少なくとも数秒間撮影するため、最初の０．１秒程度のタイムラグは誤差範囲として無視しても現実上支障ない。
【００２５】
０．１秒程度のタイムラグが気になるのであれば、撮影モードを切換えるモードキーを動画モードに切換えて撮影すればよい。つまり、通常はオンに設定されている傾き検出手段２６のオン・オフ切換えスイッチをオフに切換えるとともに、モードキーを動画モードに切換えれば、動画撮影がレリーズスイッチ２８ａを押すとともに開始され、レリーズスイッチ操作後のタイムラグなしで撮影できる。
【００２６】
デジタルカメラ１０が傾いたままでは撮影を開始せず、斜めの動画画像を撮影しないのは、たとえばハイビジョンＴＶなどの外部の表示装置で映像を再生したとき、撮影した動画画像が斜めであれば不自然で見難いためである。
【００２７】
動画撮影でなければ、図２（Ｄ）に示すように、デジタルカメラ１０を水平に戻して傾きを解消してからレリーズスイッチ２８ａを押せば、静止画が即座に撮影される。また、図２（Ｅ）に示すように、デジタルカメラ１０を垂直に構えてレリーズスイッチ２８ａを押した場合も、静止画が即座に撮影される。
静止画の撮影は一瞬のシャッターチャンスを逃さないで撮影することが重要であり、デジタルカメラ１０を水平または垂直に構えたままレリーズスイッチ２８ａを押せば撮影され、タイムラグは極力少なくしている。
【００２８】
図２（Ｂ）〜（Ｄ）では、デジタルカメラ１０を傾けてレリーズスイッチ２８ａをオンにして動画モードが設定可能にした後も、レリーズスイッチを押し続けて、水平にして傾きを解消してからのレリーズスイッチの操作を省略している。しかしながら、レリーズスイッチ２８ａを押し続けたままデジタルカメラ１０を水平に戻すことなく、水平に戻す前にレリーズスイッチ２８ａを一旦オフにしてもよい。そして、水平に戻して傾きを解消してからレリーズスイッチを再度オンにすると、動画モードが確定して動画撮影を開始してもよいし、デジタルカメラを水平に戻して傾きが解消されると、動画モードが確定して動画撮影を直ちに開始させてもよい。
いずれにせよ、レリーズスイッチ２８ａのどの操作のもとで動画撮影を開始するかはユーザーが選べるようにすれば良い。このような切換は、たとえばタッチパネルや十字キーなどの操作に従って、中央制御回路１０の制御のもとで適切に設定できる。
【００２９】
なお、デジタルカメラ１０を図２（Ｅ）のように縦に構えた場合には、静止画には相応しくとも動画には相応しくないので、レリーズスイッチ２８ａの押し込みによって静止画撮影が行われる。
【００３０】
図３（Ａ）（Ｂ）（Ｃ）はデジタルカメラを水平または傾けて構えた場合の液晶ディスプレイのライブビュー画像をそれぞれ示す。
パワースイッチを入れて（オンにして）デジタルカメラ１０を水平に構えると(横に構えると)、図３(Ａ)に示すように横長の液晶ディスプレイ１６の全面を使用してライブビュー画像が表示される。そして、ライブビュー画像（被写体像）に合成された形態で回転方向（傾け方向）を示すモード表示１６ｃが液晶ディスプレイ１６に表示される。ここでいう回転とは、水平な状態から撮影レンズ１２ａの光軸中心の回りでデジタルカメラ１０を図２（Ａ）のように回転し傾けることをいい、図２（Ａ）では撮影者から見て撮影レンズの光軸中心の回りで時計方向に（被写体側から見て反時計方向に）デジタルカメラ１０が回転され傾けられている。
【００３１】
モード表示１６ｃは、デジタルカメラ１０の回転方向（傾ける方向）の表示と、その回転方向に回転してデジタルカメラを傾けるとモード切換えされて設定可能な動画モードの表示（たとえば「ムービー」）とを併せて図示する表示であることが好ましい。このように回転方向、設定可能なモード（動画モード）を合わせて図示すれば、動画モードへの回転方向が一見して認識できる。
【００３２】
たとえば、図３（Ａ）に示すように、デジタルカメラ１０を撮影者から見て時計方向に回転すれば動画モードにモードが切換え可能に中央制御回路１４が制御している。そして、デジタルカメラ１０を時計方向に回転し傾けて止めると、その傾き（傾き角度、回転角度）を傾き検出手段２６が検出し、検出した傾き角度が所定の角度の越えたと操作判定手段２４が判定すると、その判定結果が中央制御回路１４に出力されて動画モードが設定可能となる。
【００３３】
デジタルカメラ１０を回転して傾けた動画モードでは、図３（Ｂ）に示すように液晶ディスプレイ１６も傾斜するが、動画用のアスペクト比の枠１６ａが液晶ディスプレイに現れ、ハイビジョンＴＶの横縦比１６：９になるように液晶ディスプレイの画面が制限される。そして、切換えられるモードが動画モードであることを示すサイン１６ｂ、たとえば、ビデオカメラの絵が液晶ディスプレイの余白部（枠１６ａの枠外）に表示される。ビデオカメラの絵１６ｂを点滅させて、動画モードを強調してもよい。
【００３４】
動画モードを設定可能とするデジタルカメラ１０の傾きは、ハイビジョンＴＶのアスペクト比（横縦比）が１６：９であるため、枠１６ａが横縦比３：２や４：３の液晶ディスプレイ１６の対角線方向に最も大きく表示されるような角度に規定される。デジタルカメラ１０の傾きがこの角度になると、動画の枠１６ａが液晶ディスプレイ１６の画面に表示されるとともに静止画モードから動画モードへの切換えが可能となる。
傾けた状態でレリーズスイッチ２８ａを押し、押したままデジタルカメラ１０を水平に戻してその傾きを解消すると動画モードが確定して動画の撮影を開始するように、中央制御回路１４が制御している。
【００３５】
デジタルカメラ１０を傾けた状態でレリーズスイッチ２８ａを押し、図３（Ｃ）に示すように水平の撮影姿勢に戻してデジタルカメラの傾きを解消すると、動画撮影が開始される。デジタルカメラ１０を水平の撮影姿勢に戻して傾きを解消しても液晶ディスプレイ１６には動画用の枠１６ａが出たままとなり、ビデオカメラの絵(サイン)１６ｂも表示されたままとなる。
【００３６】
デジタルカメラ１０が水平の撮影姿勢に戻されて液晶ディスプレイ１６が水平になると、枠１６ａは液晶ディスプレイの横方向に余白部を残すことなく横長に表示されるが、上下方向に余白部が残されて液晶ディスプレイ１６の画面が制限される。このように液晶ディスプレイ１６画面が上下方向に制限されることによって動画モードに切換えられたことが認識され、ビデオカメラの絵(サイン)１６ｂがたとえ表示されなくても、現在のモードを動画モードと認識できる。
【００３７】
なお、実施例においては、液晶ディスプレイ１６に三角形のマーク１６ｄを表示させて動画撮影中であることが明示されている。この三角形のマーク１６ｄを点滅させて撮影中であることを強調してもよい。
また、初期設定の静止画モードにおいても、静止画モードであることを示すサインを液晶ディスプレイ１６に表示してもよい。しかしながら、静止画モードでは液晶ディスプレイ１６の画面が制限されないため、サインがなくても静止画モードであることを認識できる。
【００３８】
図４（Ａ）（Ｂ）（Ｃ）はデジタルカメラで撮影された画像を楽しむ態様をそれぞれ示
す。
撮影画像は図４（Ａ）に示すようにデジタルカメラ背面の液晶ディスプレイ１６に表示して撮影直後に楽しんだり、図４（Ｂ）に示すように外部のＴＶ画面に表示してみんなで同時に楽しんだり、図４（Ｃ）に示すようにプリントアウトして後日ゆっくり楽しむ場合などが想定される。
【００３９】
図４（Ｂ）のようにＴＶでの表示においては、近年、ＴＶがハイビジョン化していることから、その画質で表示できれば好ましい。つまり、フルハイビジョン（フルＨＤ）でも１９２０×１０８０画素の画質があればよく、これは２メガの画素数に相当し、一般の静止画撮影時の１０００万画素（１０Ｍ）などより少ない値でよいこととなる。
【００４０】
これに対して、静止画にはこのような出力時の制約がなく、図４（Ｃ）に示すようにアルバムに貼るような小さなサイズ（たとえば、手札サイズ、ポストサイズ）から、ポスターにして貼るような大きなサイズ（たとえば、半切サイズ）の用途までを想定する必要があり、静止画時の画質は一般に高い方が好ましい。
【００４１】
本発明では、動画再生においては、ハイビジョンＴＶでの再生を想定するため画面アスペクト比（横縦比）が１６：９に規定されており、このような制限を考慮しても、図３（Ｂ）のような撮影領域（アスペクト比の枠）１６ａのもとで画質が十分で横縦比も適切で画角の制限もない撮影が可能となる。また、ハイビジョンＴＶの再生を前提とすれば、横長構図に限定してもよいという考え方が動画撮影で成立する。そのため、本発明では、動画撮影時には最適な限られた領域１６ａを使った撮影を設定している。
【００４２】
図５はアスペクト比（横縦比）４：３の画面を傾けた状態でアスペクト比（横縦比）１６：９の撮像領域が水平画面いっぱいに得られる傾き角度を求める模式図を示す。
Ｘ方向に４、Ｙ方向に３として、横長の撮像素子１２の横縦比を４：３とし、横縦比１６：９の斜めの撮像領域（網掛け部；長方形画面）１２ｂ−１を切り出すときの傾き（傾き角度）θを求める。
【００４３】
図示の三角形Ｔ１、Ｔ２の１つの角α１、α２、それらの角に挟まれた撮像領域１２ｂ−１の角の和が直線（１８０°）になることから、撮像素子１２の隅に現れる三角形Ｔ１、Ｔ２は相似形であり、三角形Ｔ２、Ｔ３が同一形であることが分かる。
三角形Ｔ１、Ｔ２、Ｔ３の一辺を形成するのが１６：９の網掛け部１２ｂ−１だから、網掛け部の長辺（１６に相当する部分）に接する三角形Ｔ１の直交する２辺が１６ａ、１６ｂ、網掛け部の短辺（９に相当する部分）に接する三角形Ｔ２、Ｔ３の直交する２辺が９ａ、９ｂと考えることができる。
【００４４】
水平画面における撮像素子１２の横縦比が４：３であるから、以下の式が成立する。
横    １６ａ＋９ｂ＝４・・・・・・式（１）
縦    ９ａ＋１６ｂ＝３・・・・・・式（２）
式（１）×９−式（２）×１６  を求めれば、以下となる。
１７５ｂ＝１２  ｂ＝１２／１７５・・・・・・式（３）
同様に、式（１）×１６−式（２）×９  を求めれば、以下となる。
１７５ａ＝３７  ａ＝３７／１７５・・・・・・式（４）
式（３）（４）から、ｂ／ａを求めれば、以下となる。
ｂ／ａ＝１２／３７・・・・・・式（５）
【００４５】
ｂとａとの比は三角形Ｔ１の直交する辺の長さの比に相当し、動画を撮影する場合の傾き角度θがｂとａとの比から求められる。つまり、この角度θだけ撮像素子１２、具体的にはデジタルカメラ１０が撮影光軸を中心として傾いたとき、液晶ディスプレイ１６が図３（Ｂ）に示す動画撮影用の画面表示となって動画モードに切換わればよい。
本発明では、傾き検出手段２６が、撮影光軸を中心とした角度θのデジタルカメラ１０の傾きを検出すると、その検出結果に基づき中央制御回路（制御手段）１４によって、具体的には中央制御回路のモード切換部１４ｃによって静止画モードから動画モードに切換えられるように構成されている。
【００４６】
実施例では、図２（Ａ）、図３（Ｂ）に示すようにデジタルカメラ１０が撮影者から見て左上がりに傾けられる場合、いいかえると、デジタルカメラが撮影者から見て撮影光軸を中心として時計方向に回転されて傾けられる場合を想定している。しかし、これとは逆に、左下がりに（反時計方向に）傾けて-θの傾きが検出されたとき、静止画モードから動画モードに切換え可能としてもよいことはいうまでもない。
【００４７】
図５のｔａｎθを求めれば、ｔａｎθ＝ｂ／ａだから、
θ＝ａｒｃｔａｎ（ｂ／ａ）・・・・・・式（６）
となり、θ＝ａｒｃｔａｎ０．３２４から、θ＝１７．９７°≒１８°が得られる。
つまり、デジタルカメラ１０が１７．９７°(略１８°)傾くと動画モードに切換え可能となり、図３（Ｂ）に示すようなビデオカメラの絵１６ｂが液晶ディスプレイ１６に表示される。
θ＝１７．９７°≒１８°に厳密にこだわる必要はなく、その近傍の傾きを検出したとき動画モードに切換え可能としてもよい。
【００４８】
図５では、アスペクト比（横縦比）４：３の撮像素子１２ｂから１６：９の画像を切り出して動画にする場合の傾きについて述べている。
しかしながら、本発明はアスペクト比（横縦比）４：３の撮像素子１２ｂに限定されず、それ以外の横縦比の撮像素子に本発明を応用することも可能であり、ハイビジョンＴＶサイズ以外のアスペクト比の表示装置に対応させることもできる。
【００４９】
Ｘ：Ｙのアスペクト比（横縦比）の撮像素子から、Ｈ：Ｔのアスペクト比（横縦比）の画像を切り出す場合の汎用式は以下のようになる。
図８における式（１）〜（５）における数値を４→Ｘ、３→Ｙ、１６→Ｈ、９→Ｔと置き換えればいいから、式（１）〜（５）は以下の式（１１）〜（１５）となる。
Ｈ・ａ＋Ｔ・ｂ＝Ｘ・・・・・・式（１１）
Ｔ・ａ＋Ｈ・ｂ＝Ｙ・・・・・・式（１２）
（Ｔ・Ｔ−Ｈ・Ｈ）・ｂ＝Ｔ・Ｘ−Ｈ・Ｙ    ｂ＝（Ｔ・Ｘ−Ｈ・Ｙ）／（Ｔ・Ｔ−Ｈ・Ｈ）・・・・・・式（１３）
（Ｔ・Ｔ−Ｈ・Ｈ）・ａ＝Ｔ・Ｙ−Ｈ・Ｘ    ａ＝（Ｔ・Ｙ−Ｈ・Ｘ）／（Ｔ・Ｔ−Ｈ・Ｈ）・・・・・・式（１４）
ｂ／ａ＝（Ｔ・Ｘ−Ｈ・Ｙ）／（Ｔ・Ｙ−Ｈ・Ｘ）・・・・・・式（１５）
したがって、動画モード設定のための傾きθは
θ＝ａｒｃｔａｎ（（Ｔ・Ｘ−Ｈ・Ｙ）／（Ｔ・Ｙ−Ｈ・Ｘ））・・・・・・式（１６）
となる。
【００５０】
図６（Ａ）（Ｂ）は傾き検出手段による傾きの検出方法の一例を示す。
傾き検出手段２６は、ホール素子２６ａ、磁石２６ｂを組み合わせ、デジタルカメラ１０の傾きに対応した磁石の磁界変化をホール素子が検出するようになっている。
すなわち、略ヘの字形状の支持腕部２６ｃが水平配置された軸２６ｄに回動自在に支持され、部分環状の永久磁石２６ｂが支持腕部の先端に保持され、ホール素子２６ａが磁石の一部と重複する位置に置かれている。
【００５１】
傾けることなくデジタルカメラ１０が水平に構えられれば、磁石２６ｂは重量のために水平な軸２６ｄの回りを回動して垂れ下がり、図６（Ａ）に示すように、左右のバランスから磁石の中央がホール素子２６ａと整列する。
図６（Ｂ）に示すように、デジタルカメラ１０が撮影光軸を中心として傾けられると、磁石２６ｂは回動して磁界の変化が生じ、この変化をホール素子２６ａが検出する。そして、ホール素子２６ａの検出信号が中央制御回路１４に出力されてデジタルカメラの傾きが判定される。
【００５２】
ホール素子、磁石を組み合わせた上記傾き検出手段は一例であり、手ぶれ検出用のジャイロや水銀スイッチを傾き検出手段としてもよい。
また、撮像素子１２ａにおける画像の変化から、デジタルカメラ１０の姿勢が変わったかどうかを判定してもよく、この場合は撮像素子が傾き検出手段として機能する。
【００５３】
図７は本発明のデジタルカメラによる撮影制御のフローチャートを示す。
まず、Ｓ１００でパワースイッチ（電源スイッチ）の操作状態を判定し、パワースイッチが操作されていなければ（オフであれば）終了し、パワースイッチがオンであればＳ１０１に進んで撮影モードが判定され、撮影モードでなければＳ１１１に分岐する。
【００５４】
Ｓ１１１で再生モードが判定され、再生モードでなければＳ１０１に戻り、再生モードであれば、Ｓ１１２でメモリ１８に記録されていた撮影画像が選択されて液晶ディスプレイ１６に表示（再生）される。Ｓ１１２で再生した画像を外部に送信するかがＳ１１３で判定され、送信しなければＳ１１１に戻り、送信と判定されば液晶ディスプレイ上の画像がＳ１１４で通信手段２２から外部のＴＶなどに送信され、外部のＴＶ画面に画像を再生して図４（Ｂ）に示すようにみんなで観賞される。送信が終わるとＳ１００に戻る。
【００５５】
Ｓ１０１で撮影モードが判定されれば、Ｓ１０２で液晶ディスプレイ１６にライブビュー画像（スルー動画像）が表示される。また、撮影モードであればＳ１０２で傾き検出手段２６によって撮影光軸を中心としたデジタルカメラ１０の傾きが常時検出され、その検出結果が中央処理回路１４に出力されて判定される（Ｓ１０３）。そして、Ｓ１０３でデジタルカメラ１０の傾きが動画のアスペクトの枠１６ａを切り出し可能な角度であると中央処理回路１４によって判定されると、Ｓ１３１に進んで液晶ディスプレイ１６が図３（Ｂ）に示すような動画撮影用の表示となる。
【００５６】
なお、動画撮影時は、動画撮影中に振動などで急に静止画になると困るため、動画撮影中は傾き検出を行わなくてもよく、静止画でも連写中などでは傾き検出は省エネのため、または、誤動作防止のため、行わなくてもよい。
【００５７】
それから、Ｓ１３２に進み、Ｓ１３２でレリーズスイッチ２８ａの入力が判定され、レリーズスイッチが押されていれば動画モードに切換え可能となり、Ｓ１３３で傾いた状態から水平に戻されてデジタルカメラ１０の傾きがないかが判定され、水平に戻されて傾きが解消されていれば、Ｓ１３４で動画モードが確定して動画撮影が開始される。ここで、レリーズボタン２８ａが押されていないことを想定して説明するが、押しっぱなしで動画が始まる仕様でもよい。動画撮影では、コマ間圧縮を伴う画像処理を施しながら画像信号がメモリ１８に記録されており、複雑な処理であるため、画素数を極力少なくするように、撮像素子１２ｂの撮像領域１２ｂ−１の画素から間引きや画素加算を行ってハイビジョンＴＶの画質相当の画素の像信号のみが中央処理回路の動画処理部１４ｂに入力される。
【００５８】
デジタルカメラ１０を水平に戻さないで傾けたままにすると、Ｓ１３３からＳ１３４に進んで警告が出される。たとえば、警告として、警告音による聴覚上の警告や、液晶ディスプレイ１６の画面に警告マークを点滅させる視覚上の警告などが考えられる。
【００５９】
Ｓ１３４で動画撮影が開始された後、Ｓ１３５でレリーズスイッチ２８ａの入力が判定され、前述のように押していない状況を前提とすると、レリーズスイッチが押されるまで動画が継続して撮影され、レリーズスイッチが押されると動画撮影が終了して（Ｓ１３６）、Ｓ１００に戻る。
【００６０】
Ｓ１３２でレリーズスイッチ２８ａが所定時間内に操作されなければ、撮影状況が変わったと判定されてＳ１０１に戻る。そのため、液晶ディスプレイ１６が動画撮影用の表示であってもレリーズスイッチ２８ａを押すことなくデジタルカメラ１０を水平に戻せば、レリーズスイッチが押されていないから動画モードが確定されず、デジタルカメラ１０が水平に戻されているからＳ１０３で動画のアスペクトの枠１６ａを切り出し可能な傾きがないと判定されて、Ｓ１２１以下において静止画が撮影される。
【００６１】
傾き検出手段２６で掲出されたデジタルカメラ１０の傾きが動画のアスペクトの枠１６ａを切り出し可能な角度でないとＳ１０３で判定されると（デジタルカメラが傾いていなければ）、Ｓ１０３からＳ１２１に分岐し、液晶ディスプレイ１６は静止画撮影用の表示（初期表示）となる。そして、Ｓ１２２でレリーズスイッチ２８ａの操作が判定され、レリーズスイッチ２８ａが押されれば静止画が撮影され（Ｓ１２３）、たとえば１０Ｍの画素をそのまま使ってポスターサイズにも耐えられる画質の圧縮を行って静止画がメモリ１８に記録される。Ｓ１２３での静止画の撮影が終了すると、Ｓ１００に戻る。また、Ｓ１２２でレリーズスイッチ２８ａの操作が所定時間なければ、Ｓ１０１に戻る。
【００６２】
Ｓ１２２、Ｓ１３２での待機時間（所定時間）はたとえば１０分程度とされ、計時手段２０のタイマーによって計時される。
【００６３】
動画撮影はデジタルカメラ１０を水平に構えた横構図で通常撮影され、縦構図での動画撮影は一般的といえない。縦構図で動画を撮影したければ、まず、デジタルカメラを傾けてから水平に戻して動画モードに切換えてからデジタルカメラを垂直に構え直して撮影を開始すればよい。
【００６４】
このように本発明においては、レリーズスイッチ操作時のデジタルカメラの傾きに従って静止画モード、動画モードが切換えられるため、重要な被写体がシャッターチャンスを逃すことなく静止画、動画として撮影できる。
【実施例２】
【００６５】
図８〜図１１を参照しながら本発明の別実施例（実施例２）に係るデジタルカメラ（撮像装置）を説明する。ここで、図８（Ａ）〜（Ｅ）、図９（Ａ）〜（Ｃ）、図１０（Ａ）（Ｂ）はデジタルカメラを水平、垂直または傾けて構えた撮影の態様をそれぞれ示し、図１１は実施例２のデジタルカメラによる撮影制御のフローチャートを示す。
【００６６】
実施例２では、デジタルカメラ１０の傾きとレリーズスイッチ２８ａの操作に応じてレリーズスイッチ本来の機能からモード切換えスイッチの機能に切換えられて動画モードを設定する点で実施例１と異なるとはいえ、デジタルカメラ（撮像装置）１０の構成自体は実施例１と変わりない。実施例１と相違する実施例２におけるレリーズスイッチの機能の変換について主として以下に説明する。
実施例１、２のいずれにおいても、デジタルカメラを傾けて静止画モードから動画モードにモードを切換え、レリーズスイッチの操作で動画モードを確定して動画撮影を開始しており、その基本的な技術思想は実施例１、２で共通している。
【００６７】
実施例２においては、デジタルカメラ１０を所定角度傾け（図８（Ａ）参照）、レリーズスイッチ２８ａを押してオンとし（図８（Ｂ）参照）、傾けたままレリーズスイッチをオフにすると（図８（Ｃ）参照）、初期モードの静止画モードから動画モードに切換えられる。つまり、デジタルカメラ１０を傾けたままレリーズスイッチ２８ａをオン、オフにすると、レリーズスイッチはモード切換えスイッチのように機能して動画モードが設定される。これは、カメラを傾けた場合は、縦構図を除いて撮影には不適と考え撮影用スイッチとしての機能を禁止して他の機能に転用するという考え方である。ただし、この段階では動画モードによる撮影は開始されておらず、水平に戻してレリーズスイッチを押すと動画モードでの撮影が開始される。
【００６８】
レリーズスイッチ２８ａをオン、オフして動画モードに切換えてから、デジタルカメラ１０を傾いた状態から傾きのない水平な状態にすると（図８（Ｄ）参照）、レリーズスイッチはシャッターを作動させて撮影する本来のレリーズスイッチとなり、傾きを解消した水平位置でレリーズスイッチを押すと（図８（Ｅ）参照）、動画モードが確定して動画撮影が開始される。
なお、デジタルカメラ１０の傾きを解消した水平位置でのレリーズスイッチ２８ａの操作を不要とし、水平に戻してデジタルカメラの傾きが解消されると動画モードによる撮影が確定して動画撮影を直ちに開始させてもよい。
【００６９】
デジタルカメラ１０を傾けたままレリーズスイッチ２８ａをオン、オフすることによって設定された動画モードは、以下の操作によって初期モードである静止画モードに切換えられる。
まず、レリーズスイッチ２８ａをオフにしてから傾きのない水平な状態にデジタルカメラ１０を戻し（図９（Ａ）参照）、動画モード設定のための回転と逆方向に（撮影者から見て反時計方向に）デジタルカメラ１０を回転し逆方向に傾けて（図９（Ｂ）参照）レリーズスイッチ２８ａを押すと（図９（Ｃ）参照）、レリーズスイッチはモード切換えスイッチとして機能して動画モードが解除されて初期モードの静止画モードに切換えられる。
【００７０】
また、デジタルカメラ１０を振ることによって動画モードを解除する構成としてもよい。すなわち、水平な位置から、デジタルカメラ１０を上下方向に振り（図１０（Ｂ）参照）、この振りをジャイロなどの手ブレセンサー、傾き検出手段の出力方向の変化から中央制御回路１４が判定して動画モードを解除してもよい。つまり、デジタルカメラ１０を上下方向に振ることによって、上下方向に振られることによる傾き方向の急激な変化を検出して、動画から静止画にモード切換えする構成としてもよい。
【００７１】
上記のような動作で撮影前に動画モードを解除する構成とすれば、動画撮影中に動画モードが不意に解除されて予定外の静止画を撮影することが阻止される。
図８、図９に示す動画モードの解除は例示であり、動画モードを解除するパターンはこれに限定されない。たとえば、デジタルカメラ１０を動画モード設定のための傾きと逆方向に傾けると、レリーズスイッチ２８ａの操作なしで本来のレリーズスイッチとしての機能からモード切換えスイッチの機能に変えられ、動画モードから静止画モードに切換えられるようにしてもよい。この構成では、レリーズスイッチ２８ａを押す操作が不要となり、静止画モードへの切換えがデジタルカメラ１０を逆方向に傾けるという一動作だけで行える。
【００７２】
デジタルカメラ１０の傾きのもとでのレリーズスイッチ２８ａの操作によって本来のレリーズスイッチとしての機能からモード切換えスイッチの機能に変えて、静止画モード、動画モードの切換えを行う技術思想は極めて斬新であり、重要な被写体がシャッターチャンスを逃すことなく静止画、動画として撮影できる。
【００７３】
図１１は、実施例２におけるデジタルカメラによる撮影制御のフローチャートを示す。
パワースイッチ（電源スイッチ）が操作されて撮影モードになっていれば、Ｓ２０１で液晶ディスプレイ１６にライブビュー画像（スルー動画像）が表示されるとともに、傾き検出手段２６によって撮影光軸を中心としたデジタルカメラ１０の傾きが常時検出され、その検出結果が中央処理回路１４に出力されて判定される。そして、Ｓ２０２でデジタルカメラ１０の傾きが動画のアスペクトの枠１６ａを切り出し可能な角度であると中央処理回路１４が判定されると、Ｓ２１１に進んで液晶ディスプレイ１６が図３（Ｂ）に示す動画撮影用の表示となる。
【００７４】
Ｓ２１２でレリーズスイッチ２８ａの入力が判定され、レリーズスイッチを所定時間操作しないで放置すると、Ｓ２０２に戻り、レリーズスイッチが押されれば、Ｓ２１３で動画モードが確定され、Ｓ２１４でレリーズスイッチがオンと判定されてＳ２１５で動画撮影が開始される。動画撮影が終われば、Ｓ２０２に戻る。
【００７５】
上述の動画モードを解除する動作、つまり、図９で述べたように水平に戻してから動画モード設定のための傾きと逆方向にデジタルカメラ１０を傾けてレリーズスイッチ２８ａを押したり、図１０で述べたように水平に戻してからデジタルカメラを振ったり（激しく傾けたり）という動作がＳ２２１で判定される。動画モードを解除する動作があれば、Ｓ２２２で動画モードが解除されてＳ２０２に戻る。また、Ｓ２２１で動画モードを解除する動作がなく所定時間が経過した場合もＳ２０２に戻る。
【００７６】
傾き検出手段２６で掲出されたデジタルカメラ１０の傾きが動画のアスペクトの枠１６ａを切り出し可能な角度でないとＳ２０２で判定されると（デジタルカメラが傾いていなければ）、Ｓ２０２からＳ２０３に分岐し、Ｓ２０３で液晶ディスプレイ１６は静止画撮影用の表示（初期表示）となる（図３（Ａ）参照）。そして、Ｓ２０４でレリーズスイッチ２８ａの操作が判定され、レリーズスイッチ２８ａが押されれば静止画が撮影され（Ｓ２０５）、静止画の撮影が終了するとＳｓ２０２に戻り、Ｓ２０４でレリーズスイッチ２８ａの操作が所定時間ない場合もＳ２０２に戻る。
【００７７】
レリーズスイッチ操作の有無を判定するステップ（Ｓ２０４、Ｓ２１２、Ｓ２１４）において、スイッチ操作が所定時間ないと直ちにＳ２０２に戻すことなく、警告を出してスイッチ操作を促してもよい。たとえば、警告として、警告音による聴覚上の警告や、液晶ディスプレイ１６の画面に警告マークを点滅させる視覚上の警告などが考えられる。
【００７８】
このようにこの実施例２においても、片手で保持したままデジタルカメラ１０を傾けるだけで撮影モードが切換えられるため、重要な被写体がシャッターチャンスを逃すことなく静止画、動画として撮影できる。
【００７９】
上記実施例１、２では、デジタルカメラ１０の傾きによって静止画、動画の撮影モードを切換えている。しかし、デジタルカメラ１０の傾きによって切換えられるモードは静止画、動画の撮影モードに限定されない。以下、静止画、動画の撮影モード以外のモード切換えについて例示する。
【００８０】
図１２（Ａ）（Ｂ）（Ｃ）は、デジタルカメラを傾けてモード切換えした場合の液晶ディスプレイのライブビュー画像をそれぞれ示す。デジタルカメラを所定角度傾けることによって連写モードを設定可能とすることができ、この場合には連写モードであることを示す連写マークが液晶ディスプレイ１６に表示され（図１２（Ａ）参照）、デジタルカメラの傾きによって連写、ワンショット撮影のモード切換えが行える。
【００８１】
また、図１２（Ｂ）に示すように、デジタルカメラ１０を傾けて、レリーズ操作することによってズームアップモードを設定することもできる。たとえば、ズームアップモードは所定の傾きで設定されて所定範囲内で傾きに比例してズームの程度が増加し、ある傾きでズームアップモードを解消し、所定範囲内での傾きを所定時間維持するとその時点のズームアップが設定可能とされる。そして、デジタルカメラ１０を水平に戻すとそのズームアップが確定され、レリーズスイッチ２８ａを押すことによりズームアップでの撮影が行われる。
もちろん、デジタルカメラ１０を傾けた状態では、レリーズスイッチ２８ａが本来のレリーズ用の機能を果たさないので、傾けた状態でズーミングを開始し、傾けたまま再度のレリーズスイッチ操作で、ズーミングを止めるという制御にしてもよい。
ズームアップモードにおいてはズームの程度を変えるための傾き範囲が必要となる。そのため、たとえば、図１２（Ａ）（Ｂ）に示すように、ズームアップモードを設定する傾きは連写モードを設定する傾きよりも大きな傾きでズームアップモードを開始する構成とされる。
【００８２】
さらに、連写モードの場合の傾きとは逆方向にデジタルカメラ１０を傾けると、ストロボの強制発光モードを設定できる構成としてもよい（図１２（Ｃ）参照）。強制発光モードでなく発光の強制停止モードを設定してもよい。
図１２（Ａ）（Ｃ）では、連写モードになる傾きとストロボモードになる傾きを逆方向で同じ傾き角度としているが、必ずしも同じ角度とする必要はない。
【００８３】
なお、図１２（Ｂ）（Ｃ）のいずれにおいてもモードが切換えられた場合には設定されたモードの種類を表す表示が液晶ディスプレイ１６に表示され、図１１（Ｂ）では「ズームアップモード」の表示が、図１２（Ｃ）では「ストロボ」の表示が液晶ディスプレイに現れる。
【００８４】
連写モード、ズームアップモード、ストロボモード以外のモードを設定可能としてもよく、たとえば十字キー操作で設定されるポートレート、記念撮影、風景、夜景図、パーティショット、ビーチ＆スノー、料理、セルフポートレートなどのモードをデジタルカメラ１０の傾きによって設定してもよい。
【００８５】
このように本発明によれば、デジタルカメラ１０の構えに対応して静止画の撮影モードから動画モードの切換えが可能となり、デジタルカメラを構えるだけで重要な被写体がシャッターチャンスを逃すことなく動画として撮影できる。
また、撮影だけでなく、動画のモード切換えがデジタルカメラ１０を片手で掴んだままできるため、たとえば水中撮影や雪山撮影のように、別の手に何か（ライト、ストック、ピッケル）を保持したり、手袋を付けていて細かい操作が不自由な場合でも、動画撮影が片手操作で支障なく行える。
初期モードが静止画の撮影モードであるため、動画モードにモード切換えする時間さえ惜しまれるような状況においては、静止画撮影によってシャッターチャンスに対処できる。
【００８６】
さらに、静止画の撮影モードから動画モードに切換えた後も、デジタルカメラ１０の構えに対応して動画モード、静止画モード間のモード切換えが行え、動画モードから静止画モードへのモード切換え、静止画モードから動画モードへのモード切換えが行える。つまり、静止画モード、動画モードに切換えた後においても、切換えたモードと異なるモードへのモード切換えがデジタルカメラ１０の構えだけで迅速に行え、この点からも、シャッターチャンスを逃すことなく静止画、動画が撮影できる。
【００８７】
静止画、動画のモード切換えが特別なスイッチの操作なしで行えるから、レリーズスイッチ２８ａ以外のスイッチ操作に気を配る必要がなく、レリーズスイッチの操作に集中して撮影が行える。
また、デジタルカメラ１０を傾けてレリーズ操作するだけで動画が撮影可能となるなど、画面の被写体を確認しながら、レリーズスイッチから手を離す必要なく、撮影に集中してのカメラ機能切換が可能となる。
【００８８】
本発明ではデジタルカメラ１０を構えることにより、静止画、動画の撮影モード切換えなどが特別なスイッチ操作なしで可能となっている。しかしながら、デジタルカメラのスイッチ群２８はメニューキー、決定キー（ＯＫキー）、モードキーなどを有しているから、これらのスイッチ操作によってモード切換えが行われるようにしてもよい。撮影者はデジタルカメラを回転させ傾けて行うモード切換えと、スイッチ操作によるモード切換えを選択することができる。
【００８９】
たとえば、メニューキー、決定キー（ＯＫキー）、モードキーなどを操作することによって、静止画モードから動画モードへのモード切換えや、下位モードとしてのストロボの強制モード、非強制モード、接写モード、遠景モードなどを選択すればよい。
【００９０】
上述した実施例は、この発明を説明するためのものであり、この発明を何等限定するものでなく、この発明の技術範囲内で変形、改造等の施されたものも全てこの発明に包含されることはいうまでもない。
たとえば、実施例ではデジタルカメラとして撮像装置を具体化しているが、本発明の対象となる撮像装置はデジタルカメラに限定されず、たとえば、デジタルビデオカメラはもちろん、デジタルカメラの機能を持つ携帯電話、ノートパソコンなどのデジタルカメラ付モバイルツールなども本発明でいう撮像装置に含まれる。
【００９１】
上記のように、本発明によれば、撮像装置の構えに対応して動画モード、静止画モードが切換えられるため、重要な被写体がシャッターチャンスを逃すことなく静止画、動画として最適の条件下で撮影できる。また、この傾ける動作を利用することによって、被写体の様子を表示部中心で観察したまま操作ができるので、シャッターチャンスを逃すことなくモード切換が可能となる。
【産業上の利用可能性】
【００９２】
本発明は、液晶ディスプレイのような表示手段を持つデジタルカメラなどの撮像装置に広範囲に応用できる。
【符号の説明】
【００９３】
１０  デジタルカメラ（撮像装置）
１２  撮像手段
１２ａ  撮影レンズ
１４  中央制御回路（制御手段）
１４ａ〜１４ｃ  静止画処理部、動画処理部、モード切換部
１６  液晶ディスプレイ（表示手段）
１８  メモリ（記録手段）
２０  クロック（計時手段）
２２  通信手段
２４  操作判定手段
２６  傾き検出手段
２８  スイッチ群
２８ａ  レリーズスイッチ
３０  ストロボ手段
【図１】
0005963890.tif 000002
【図２】
0005963890.tif 000003
【図３】
0005963890.tif 000004
【図４】
0005963890.tif 000005
【図５】
0005963890.tif 000006
【図６】
0005963890.tif 000007
【図７】
0005963890.tif 000008
【図８】
0005963890.tif 000009
【図９】
0005963890.tif 000010
【図１０】
0005963890.tif 000011
【図１１】
0005963890.tif 000012
【図１２】
0005963890.tif 000013